(57)【要約】【課題】  デザイン上の制約が少なく、外観品位の高い撮像装置を提供する。【解決手段】  被写体を撮像するレンズ（１）と撮像素子（１４）とを有し被写体の画像情報を出力するカメラ部（５００Ａ）と、カメラ部を、光軸（ＣＬ１）に直交する回動軸（ＣＬ２）の周りに回動可能に支持する本体部（５００Ｂ）とを備え、カメラ部に、記録媒体（３８）を着脱するための挿入口（３５ａ）を有するスロット部（３５）と、この挿入口を開閉する蓋（３６）とを設けると共に、本体部に、この蓋と対向可能な対向面（７０）を有する対向部（７０Ａ）を設け、カメラ部の回動により、対向面が蓋と対向してその開動作を阻止し記録媒体の脱着を不能とする第１の位置と、対向面が退避して蓋の開動作を許容し記録媒体の脱着を可能とする第２の位置とを選択可能にした。【選択図】      図８
2006067274.tif 000002
【特許請求の範囲】
【請求項１】
前方の被写体を撮像する撮像レンズと撮像素子とを有して前記被写体の画像情報を出力するカメラ部と、
前記カメラ部を前記撮像レンズの光軸に直交する回動軸の周りに回動可能に支持する本体部と、を備えた撮像装置において、
前記カメラ部に、前記画像情報を記録する第１の記録媒体を脱着するための挿入口を有する第１のスロット部と前記挿入口を開閉する蓋とを設けると共に、前記本体部に、前記回動に伴い前記蓋と対向可能な対向面を有する対向部を設け、
前記カメラ部の回動により、前記対向面が前記蓋と対向して前記蓋の開動作を阻止し前記第１の記録媒体の脱着を不能とする第１の位置と、前記対向面が退避して前記蓋の開動作を許容し前記第１の記録媒体の脱着を可能とする第２の位置と、を選択可能に構成して成ることを特徴とする撮像装置。
【請求項２】
前記蓋を前記回動軸と平行な軸を中心に前記対向部側へ回動して開く蓋として形成し、
前記蓋が開いた状態における前記第２の位置から前記第１の位置への回動の際、前記対向部が前記蓋に当接して前記蓋を閉じる方向に回動させるよう構成して成ることを特徴とする請求項１記載の撮像装置。
【請求項３】
前記第１のスロット部を前記カメラ部の後端側に配置すると共に、前記蓋を、該蓋の閉状態で前記カメラ部の後端面と同一となる面を有して形成し、前記後端面及び前記対向面を、前記回動軸を中心とする円筒面の一部として形成して成ることを特徴とする請求項１または請求項２記載の撮像装置。
【請求項４】
前記画像情報を記録する第２の記録媒体を脱着するための第２のスロット部を前記本体部に備えて成ることを特徴とする請求項１乃至４のいずれか１項に記載の撮像装置。
【請求項５】
前記第１のスロット部に対して前記第１の記録媒体を脱着する方向と、前記第２のスロット部に対して前記第２の記録媒体を脱着する方向とを異なる方向にして成ることを特徴とする請求項４記載の撮像装置。
【請求項６】
互いに回動する本体部とカメラ部とを有し、
前記カメラ部で撮影した画像情報を記録する記録媒体を装着するスロット部と前記記録媒体を外部からスロット部に装着するための装着口とを、前記本体部又は前記カメラ部に備えて成る撮像装置において、
前記装着口を、前記本体部と前記カメラ部とが対向する対向面の一方に設けると共に、前記回動により、前記対向面の他方が前記装着口を塞ぐ第１の位置と、前記対向面の他方が前記装着口を開放するよう退避する第２の位置とを選択可能に構成したことを特徴とする撮像装置。
【発明の詳細な説明】
【技術分野】
【０００１】
本発明は撮像装置に係り、特にメモリーカード等を記録媒体として使用する撮像装置に関する。
【背景技術】
【０００２】
デジタルカメラ，ビデオカメラあるいはカメラを搭載した携帯電話等の撮像装置に用いられる脱着可能な記録媒体として、ＣＦ（コンパクトフラッシュ：登録商標）カードやＳＤカード等のメモリーカード、あるいは、１インチ程度の小径ハードディスクを用いたハードディスクドライブ装置（ＨＤＤ）を内蔵して記録再生を可能としたカートリッジ等がある。
このカートリッジの一例としては、ＣＦカードと互換性を有するマイクロドライブ（登録商標）がある（以下、このようなカートリッジを含めてメモリーカードと称する）。
【０００３】
メモリーカードを記録媒体として用いる撮像装置は、それを装着するためのスロット部と、そのカードの脱着時にはスロット部の装着口を外部に解放し、通常時は埃等のスロット内への侵入を防ぐために装着口を塞ぐカバー（蓋）を有して構成されている。
このような撮像装置の一例として、特許文献１に記載されたデジタルカメラがある。
【特許文献１】特開２００３−３０９７５２号公報
【発明の開示】
【発明が解決しようとする課題】
【０００４】
ところで、このメモリーカードを用いた撮像装置は、そのカード自体が小さいことからカメラ全体を小型化し得る。
しかしながら、蓋の部分は開閉するため、蓋を閉じた状態で筐体と同一面にする場合は、蓋と筐体との間にわずかながらも隙間を設けなければならず、外観品位が低下すると共にデザイン上の制約が極めて多くなるという問題がある。
【０００５】
また、この隙間を無くすようにするには、蓋にこの隙間を覆って塞ぐようなつば等の目隠しを設ける必要がある。しかしながら、そのような形状では、蓋は筐体面から突出してしまい、高い外観品位は得られない。
【０００６】
また、メモリーカード自体、大変小さく、それを脱着するスロット部やそれを塞ぐ蓋も極めて小さくなっている。そのため、蓋は強度的に大変弱い部材となっており、この蓋が使用状態において外部に露出していると、他の物にぶつかったり、誤って落下させてしまった際に破損したりする可能性がある。
【０００７】
また、蓋は本体と係合することで塞状態に保持されるように設計される。
しかしながら、メモリーカードの交換のために開けた蓋を再び閉める際に、蓋が小さいことからこれを指で確実に閉めるのはとても難しくなる。
蓋が確実に閉められなかった場合、手や洋服に引っかかって蓋が開き、さらに力が加わって蓋が外れてしまったり、蓋を破損してしまうという可能性があった。
【０００８】
また、運動会や発表会等の撮影時に、その感動的シーンを逃さないためにも、記録媒体の交換後はできるだけ迅速に撮影を開始できるのがよい。
しかしながら、蓋が小さいために、これをしっかりと本体に押しつけてそこに係合させる操作に手間がかかり、迅速な撮影再開ができず感動的シーンを撮り逃してしまう可能性があった。
【０００９】
一方、上述したＣＦカードとＳＤカードとのような、若干ではあるが大きさの異なる複数種のメモリーカードを使用できるように、それぞれのカードに対応した複数のスロットを備えた撮像装置の場合、装着しようとするメモリーカードを誤って他のメモリーカード用のスロットに挿入してしまう恐れがあった。
ＣＦカードとＳＤカードとの場合、ＳＤカードの方がわずかに小さいので、これをＣＦカード用スロットに誤って挿入すると、取り出すのが困難になったり、それを無理に取り出そうとして内部部品を破損させる可能性もあった。
【００１０】
そこで、本発明が解決すべき課題は、デザイン上の制約が少なく、外観品位の高い撮像装置を提供することにある。
また、スロットの開口部を覆う蓋を破損してしまうことがない撮像装置を提供することにある。
また、メモリーカードのスロットの開口部を覆う蓋の閉操作が素早く確実にでき、記録媒体交換後、迅速に撮影を開始することができ、蓋を破損することがない撮像装置を提供することにある。
また、異なる大きさのメモリーカードが使用できる場合に、誤挿入を防止する撮像装置を提供することにある。
【課題を解決するための手段】
【００１１】
上記の課題を解決するために、本願発明は手段として次の構成を有する。
即ち、請求項１に係る発明は、前方の被写体を撮像する撮像レンズ（１）と撮像素子（１４）とを有して前記被写体の画像情報を出力するカメラ部（５００Ａ）と、前記カメラ部（５００Ａ）を前記撮像レンズ（１）の光軸（ＣＬ１）に直交する回動軸（ＣＬ２）の周りに回動可能に支持する本体部（５００Ｂ）と、を備えた撮像装置において、
前記カメラ部（５００Ａ）に、前記画像情報を記録する第１の記録媒体（３８）を脱着するための挿入口（３５ａ）を有する第１のスロット部（３５）と前記挿入口（３５ａ）を開閉する蓋（３６）とを設けると共に、前記本体部（５００Ｂ）に、前記回動に伴い前記蓋（３６）と対向可能な対向面（７０）を有する対向部（７０Ａ）を設け、前記カメラ部（５００Ａ）の回動により、前記対向面（７０）が前記蓋（３６）と対向して前記蓋（３６）の開動作を阻止し前記第１の記録媒体（３８）の脱着を不能とする第１の位置と、前記対向面（７０）が退避して前記蓋（３６）の開動作を許容し前記第１の記録媒体（３８）の脱着を可能とする第２の位置と、を選択可能に構成して成ることを特徴とする撮像装置（５００，５０１）である。
また、請求項２に係る発明は、前記蓋（３６）を前記回動軸（ＣＬ２）と平行な軸（３７）を中心に前記対向部（７０Ａ）側へ回動して開く蓋（３６）として形成し、前記蓋（３６）が開いた状態における前記第２の位置から前記第１の位置への回動の際、前記対向部（７０Ａ）が前記蓋（３６）に当接して前記蓋（３６）を閉じる方向に回動させるよう構成して成ることを特徴とする請求項１記載の撮像装置（５００，５０１）である。
また、請求項３に係る発明は、前記第１のスロット部（３５）を前記カメラ部（５００Ａ）の後端側に配置すると共に、前記蓋（３６）を、該蓋（３６）の閉状態で前記カメラ部（５００Ａ）の後端面（６０）と同一となる面を有して形成し、前記後端面（６０）及び前記対向面（７０）を、前記回動軸（ＣＬ２）を中心とする円筒面の一部として形成して成ることを特徴とする請求項１または請求項２記載の撮像装置（５００）である。
また、請求項４に係る発明は、前記画像情報を記録する第２の記録媒体（２０）を脱着するための第２のスロット部（１８）を前記本体部（５００Ｂ）に備えて成ることを特徴とする請求項１乃至４のいずれか１項に記載の撮像装置である。
また、請求項５に係る発明は、前記第１のスロット部（３５）に対して前記第１の記録媒体（３８）を着脱する方向と、前記第２のスロット部（１８）に対して前記第２の記録媒体（２０）を着脱する方向とを異なる方向にして成ることを特徴とする請求項４記載の撮像装置（５００）である。
また、請求項６に記載の発明は、互いに回動する本体部（５００Ｂ）とカメラ部（５００Ａ）とを有し、前記カメラ部（５００Ａ）で撮影した画像情報を記録する記録媒体（３８）を装着するスロット部（３５）と前記記録媒体（３８）を外部からスロット部（３５）に装着するための装着口（３５ａ）とを、前記本体部（５００Ｂ）又は前記カメラ部（５００Ａ）に備えて成る撮像装置において、
前記装着口（３５ａ）を、前記本体部（５００Ｂ）と前記カメラ部（５００Ａ）とが対向する対向面（６０，７０）の一方（６０）に設けると共に、前記回動により、前記対向面の他方（７０）が前記装着口（３５ａ）を塞ぐ第１の位置と、前記対向面の他方（７０）が前記挿入口（３５ａ）を開放するよう退避する第２の位置とを選択可能に構成したことを特徴とする撮像装置（５００，５０１）である。
【発明の効果】
【００１２】
本発明によれば、外観品位が高いという効果を得る。また、記録媒体交換後、迅速に撮影を開始でき、スロット部を覆う蓋を破損することがないという効果を得る。また、複数種のメモリーカードを使用できる場合に誤挿入を防止することができるという効果を得る。
【発明を実施するための最良の形態】
【００１３】
本発明の実施の形態を、好ましい実施例により図１〜図１１を用いて説明する。
図１は、本発明の撮像装置の実施例を示す第１の外観斜視図である。
図２は、本発明の撮像装置の実施例における第２のスロット部を説明する外観斜視図である。
図３は、本発明の撮像装置の実施例を示す第１の側面図である。
図４は、本発明の撮像装置の実施例を示す第２の側面図である。
図５は、本発明の撮像装置の実施例を示す第３の側面図である。
図６は、本発明の撮像装置の実施例における第２の外観斜視図である。
図７は、本発明の撮像装置の実施例における第１のスロット部を説明する外観斜視図である。
図８は、本発明の撮像装置の実施例における第１のスロット部を説明する他の外観斜視図である。
図９は、本発明の撮像装置の実施例における内部構造を説明する概略分解図である。
図１０は、本発明の撮像装置の実施例で用いる記録媒体を収容したカートリッジを説明する図である。
図１１は、本発明の撮像装置の変形例を説明する図である。
【００１４】
実施例の撮像装置はビデオカメラであり、その前方斜め上方から見た外観を図１に示す。
このビデオカメラ５００は、カメラ部５００Ａと略Ｌ字状の本体部５００Ｂとから概略構成されてなるものである。
両部は、この図の５０ａ−５０ｂ―５０ｃで結ぶ線において分割される別体であり、カメラ部５００Ａは、図示しない回動機構により、本体部５００Ｂに対して回動軸ＣＬ２の回りに所定の角度範囲で回動可能とされている。
【００１５】
カメラ部５００Ａは、光軸ＣＬ１を有するズームレンズ１，ストロボ２，ステレオマイク３，スピーカ４，右側面部に設けられた第１の操作釦群５及び底面側に設けられた第１のスロット部３５（当図には図示せず）を備えている。この第１のスロット部３５には、第１のメモリーカード３８（当図には図示せず）が装着される。
本体部５００Ｂは、ズームレバー６，開閉カバー７，この開閉カバー７のロックを解除するロック解除レバー８，接続端子群９，この接続端子群を覆う端子カバー１０，後方から視認可能な液晶表示部１１，第２の操作釦群１２及び第３の操作釦群１３を備えている。開閉カバー７には、このビデオカメラ５００を把持した際の指掛けとなる凹部７ａが設けられている。
このビデオカメラ５００を把持する場合、この凹部７ａに指をかけ開閉カバー７全体をつかむようにして把持する。
【００１６】
次に、このビデオカメラ５００の内部構成について図９を用いて説明する。この図は理解を容易にするために、ビデオカメラ５００の外観斜視図（図１に相当）とそれを構成する各ブロックとを併記している。
図９において、カメラ部５００Ａは、ズームレンズ１と、その後方に配置され、画像を電気信号に変換する撮像素子１４と、底部側と左側部側とに配置され画像信号処理回路１５ｂを搭載した基板１５と、撮像素子１４の底面側に配置された第１のスロット部３５を有し、これらを外装カバー２１Ａで覆う構成とされている。基板１５には、ビデオカメラ５００全体の動作を制御するＣＰＵ１５ａが搭載されている。
【００１７】
一方、本体部５００Ｂは、後方側に配置された液晶表示部１１と、光軸ＣＬ１と概ね平行に配置されたバッテリー収納部１６及びメディア収納部１７を有し、これらを外装カバー２１Ｂで覆う構成とされている。
メディア収納部１７は、第２のスロット部１８を備えており、図９は、この第２のスロット部１８に記録媒体２０ｈを収容したカートリッジ２０を装着した状態を示している。
【００１８】
図１に戻り、開閉カバー７は、ロッ解除レバー８を動かし図示していないロック機構のロックを外すことにより開けることができる。
開閉カバー７を開けた状態において、図２に示すように、第２のスロット部１８におけるカートリッジ２０を着脱するためのの開口部１８ａ及びバッテリー（図示せず）を着脱するための開口部１６ａが、カメラ５００の上方から臨まれる。
即ち、このビデオカメラ５００は、開閉カバー７を開けることで、カメラ５００の上方からバッテリー及びカートリッジ２０を装着できるように構成されている。
【００１９】
開閉カバー７は、外装カバー２１Ｂの回動軸ＣＬ３上に設けられたシャフト（図示せず）と係合し、この回動軸ＣＬ３の回り（Ｒ１）に回動可能とされている。
この状態で、カートリッジ２０は、開口部１８ａに対して上下方向（図の矢印Ｒ２方向）に着脱される。
【００２０】
次に、カメラ部５００Ａの回動について詳述する。
このビデオカメラ５００は、上述したように、カメラ部５００Ａが本体部５００Ｂに対して回動軸ＣＬ２周りに回動可能とされている。
【００２１】
図３は、この回動の基準となる位置、即ち、カメラ部５００Ａの側面投影がほぼ本体部５００Ｂに包含される位置にある場合の側面図である。
この状態を基準状態と称する。
この基準状態において、カメラ後方斜め下側から見た斜視図を図６に示す。
カメラ部５００Ａの底面５００Ａｂの後方側には、後述する第１のスロット部の蓋３６が設けられており、基準状態においては蓋３６の一部であるその底面側の部分のみが露出している。
【００２２】
図４は、基準状態に対して、カメラ部５００Ａをそのレンズ部１が下方を向く方向に角度θｄ回動させた状態を示している。この状態を下方撮影状態と称する。
この角度θｄは、基準位置の光軸ＣＬ１と回動後の光軸ＣＬ１ｄとの成す角度である。当図においては、カメラ部５００Ａが紙面上で水平となるように記載されている。
【００２３】
図５は、基準状態に対して、カメラ部５００Ａをそのレンズ部１が上方を向く方向に角度θｕ回動させた状態を示している。この状態を上方撮影状態と称する。
この角度θｕは、基準位置の光軸ＣＬ１と回動後の光軸ＣＬ１ｕとの成す角度である。当図においては、図４と同様にカメラ部５００Ａが紙面上で水平となるように記載されている。
実施例では、角度θｕと角度θｄの最大角度はそれぞれ４５°であるが、この角度はもちろんそれぞれ任意に設定できる。
【００２４】
カメラ部５００Ａは、上述したように、本体部５００Ｂに対して図示しない支持機構により回動軸ＣＬ２周りに回動可能に支持されている。
そして、カメラ部５００Ａの後端面６０とこれに対向する本体部５００Ｂの対向面７０とは、それぞれ回動軸ＣＬ２を中心とする円筒面の一部として形成されている。
具体的に説明すると、例えば図４において、カメラ部５００Ａの後端面６０は、この回動軸ＣＬ２を中心とする半径Ｒ１の面で形成されている。
一方、この後端面６０に対向する本体部５００Ｂの対向面７０は、回動軸ＣＬ２を中心とした半径Ｒ２の面で形成されている。
この両半径の差であるＲ２−Ｒ１がカメラ部５００Ａと本体部５００Ｂとの径方向の隙間ｄとなり、この隙間ｄが少ない程外観的に美しくなり好ましい。
実施例においては、半径Ｒ１と半径Ｒ２の差を僅か０．５ｍｍにして極めて良好な外観性能を得ている。
【００２５】
次に、第１のスロット部３５とその開口を塞ぐ蓋３６について詳述する。
図５に示した上方撮影状態においてカメラ後方斜め下側から見た斜視図を図７に示す。この状態において、蓋３６はその全体が露出している。
また、図８は、図７において蓋３６を開けた状態を示している。
【００２６】
蓋３６は、図７に示すように、これを閉じた状態でカメラ部５００Ａの後端面６０と同じ面となる曲面を有する主部３６ａと、この主部３６ａの一端側から屈曲して延在し、この蓋３６を閉じた状態でカメラ部５００Ａの底面５００Ａｂと同じ面となる平面を有する屈曲部３６ｂとを有している。
屈曲部３６ｂには、この蓋３６を開けるときの指の掛かりとなるように僅かに突出した突部３６ｃが設けられている。
【００２７】
主部３６ａの他端側には、カメラ部５００Ａに設けられたシャフト３７（図８参照）を挿通する支持部３６ｄが設けられている。
即ち、蓋３６は、カメラ部５００Ａに対してシャフト３７の回りに回動可能に支持されている。
【００２８】
この蓋３６を開けると、第１のメモリーカード３８を脱着する第１のスロット部３５の開口（挿入口）３５ａをカメラ５００の後方側から臨むことができる。
この第１のスロット部３５には、カメラ部５００Ａの後方側から第１のメモリーカードを装着することができる。実施例においては、この第１のメモリーカード３８はＳＤカードである。
蓋３６は、これを閉じた際、図示しない係止構造によりカメラ部５００Ａに係止される。この係止構造は、一般的な蓋を係止するための周知の構造を用いることができる。
【００２９】
次に、第２のスロット部１８に挿入するカートリッジ２０について、その外観図である図１０を用いて説明する。
カートリッジ２０は、偏平の矩形形状をしており、内部にハードディスクを記録媒体２０ｈとしたＨＤＤ２０ｃを内蔵している。
このＨＤＤ２０ｃとカートリッジ２０の外部との間での信号授受のために、カートリッジ２０の一側面部２０ｄに雌型コネクタ部２０ｂが設けられている。
この雌型コネクタ部２０ｂは、撮像装置５００側に設けられた雄型コネクタ部（図示せず）に対して、この図のＲ２方向に挿抜される。
この一側面部２０ｄ以外の対向する側面部２０ｄ２には、挿抜方向（Ｒ２方向）に延在する段部２０ａが形成されている。
この段部２０ａは、カメラ５００側の第２のスロット部１８に設けられたガイド部（図示せず）と係合し挿抜時の誘いとなり、カートリッジ２０の脱着はスムーズに行われる。
【００３０】
実施例においては、上述したように、第１のスロット部３５をカメラ部５００Ａの後端部に配置している。また、それを覆う蓋３６を、基準位置においては本体部５００Ｂにより隠れ、カメラ部５００Ａを回動させることで臨めるように配置し、カメラ５００の後方側から第１のメモリーカード３８を装着できるように構成している。
即ち、カメラ部５００Ａの基準状態においては、第１のスロット部３５は本体部５００Ｂに覆われて外部に露出しないようになっている。
【００３１】
また、第２のスロット部１８を本体部５００Ｂの把持部（指掛け７ａを設けた開閉カバー７とその近傍部分）の近傍に配置し、カメラ５００の上方側から第２のメモリーカード２０を装着するように構成している。
従って、複数種のメモリーカード２０，３８を使用可能とした構成でありながら、デザイン上の制約が少なく、高い外観品位が発揮されるものとなっている。
【００３２】
また、第１及び第２のスロット部１８，３５の位置が離れており、さらに、第１及び第２のメモリーカード２０，３８をそれぞれのスロット部１８，３５に挿入する際の挿入方向が異なっているので、誤挿入する可能性が極めて少なくなっている。
また、第１のスロット部３５の蓋３６は、他の物にぶつかったり、誤って落とした時にも直接床等に当たることはないので、この蓋３６が破損する可能性はほとんどない。
【００３３】
また、図８に示すような上方撮影状態で蓋３６を開け、第１のメモリーカード３８を装着（交換）した後、カメラ部５００Ａを基準状態にもどすように回動することで、本体部５００Ｂの対向面７０における底面側の稜線部７１が、蓋３６の主部３６ａに当接し、これを閉じる方向に回動させる。閉じる方向になるのは、この蓋３６の回動の支点（シャフト３７の位置）を、その蓋３６における、稜線部７１の移動する方向とは反対方向の端部に位置させたことによる。
ここで、上述したように、カメラ部５００Ａと本体部５００Ｂとの径方向隙間ｄは、極めて小さくなるように設定されているので、カメラ５００を基準状態にもどすこの回動動作により、蓋３６はカメラ部５００Ａ側にしっかりと係合して閉状態とされる。
従って、第１のメモリーカード３８を交換した後、指で蓋３６を閉じることなく、蓋３６を容易に、かつ、確実に閉じることができ、極めて迅速に撮影を開始することができる。
蓋３６に当接するのは稜線部７１でなくてもよく、対向面７０から突出する部分を設け、その部分で当接させるように構成してもよい。
このように、本体部５００Ｂは、カメラ部５００Ａの後端部と対向する対向面７０，稜線部７１を有する対向部７０Ａを備えている。
【００３４】
本発明の実施例は、上述した構成に限定されるものではなく、本発明の要旨を逸脱しない限りにおいて種々の変形が可能である。
【００３５】
本発明が適用できる撮像装置としては、実施例に示したビデオカメラ（所謂デジタルカメラを含む）に限らず、カメラを搭載した携帯電話や携帯端末等がある。
また、実施例では、第１及び第２のメモリーカードとしてそれぞれＳＤカード及びＣＦカード（マイクロドライブを含む）を用いる説明をしたが、逆に第１のメモリーカードをＣＦカードとしてもよい。また、メモリーカードはこれらに限るものではない。
ＣＦカードと互換性のあるものとして、カートリッジにＨＤＤを内蔵したマイクロドライブを示したが、記録媒体はハードディスクに限らず、光ディスク等としてもよい。従って、カートリッジは、このようなディスク等の記録媒体をドライブする装置を収容したものであってもよい。
また、カメラ部の回動動作でカード脱着の許容または規制の選択ができるものとしては、第１のスロット部の開口を覆う蓋が内側に回動して開く構成のものでもよい。また、回動ではなく平面移動するシャッタ状であってもよい。
【００３６】
実施例では、本体部５００Ｂが略Ｌ字状のものを示したが、変形例として、図１１に示すようなＬ字状でない本体部５００Ｂを有する撮像装置５０１であってもよい。
図１１（ａ）は、撮像装置５０１を後方側から見た概略外観図であり、図１１（ｂ）は前方側から見た概略外観図である。
図１１（ａ）は、カメラ部５０１Ａを回動した上方撮影状態を示している。
【００３７】
この撮像装置５０１は、カメラ部５０１Ａの後方側の本体部５０１Ｂ側に左右方向（矢印Ｒ５方向）にメモリーカード等を脱着する挿入口３５ａを有する第１のスロット部３５とその挿入口３５ａを開閉する蓋３６とを備えている。
そして、基準状態〔図１１（ｂ）参照〕において、この第１のスロット部３５は、本体部５０１Ｂに隠れるように構成されている。
一方、本体部５０１Ｂの天面側には、上下方向（矢印Ｒ６）に第２のメモリーカード等を脱着する第２のスロット部１８を備えている。
即ち、カメラ部５００Ａの基準状態において、蓋３６は本体部５００Ｂに覆われて外部に露出せず、また、第１及び第２のメモリーカードの挿抜方向が異なっている。
従って、変形例である撮像装置５０１は、複数種のメモリーカードを使用可能とした構成でありながら、デザイン上の制約が少なく、高い外観品位が発揮されるものとなっており、また、メモリーカードを誤装着する可能性が極めて低いものとなっている。
【図面の簡単な説明】
【００３８】
【図１】本発明の撮像装置の実施例を示す第１の外観斜視図である。
【図２】本発明の撮像装置の実施例における第２のスロット部を説明する外観斜視図である。
【図３】本発明の撮像装置の実施例を示す第１の側面図である。
【図４】本発明の撮像装置の実施例を示す第２の側面図である。
【図５】本発明の撮像装置の実施例を示す第３の側面図である。
【図６】本発明の撮像装置の実施例における第２の外観斜視図である。
【図７】本発明の撮像装置の実施例における第１のスロット部を説明する外観斜視図である。
【図８】本発明の撮像装置の実施例における第１のスロット部を説明する他の外観斜視図である。
【図９】本発明の撮像装置の実施例における内部構造を説明する概略分解図である。
【図１０】本発明の撮像装置の実施例で用いる記録媒体を収容したカートリッジを説明する図である。
【図１１】本発明の撮像装置の変形例を説明する図である。
【符号の説明】
【００３９】
１  ズームレンズ
２  ストロボ
３  ステレオマイク
４  スピーカ
５  第１の操作釦群
６  ズームレバー
７  開閉カバー
７ａ  凹部（指掛け）
８  ロックレバー
９  接続端子群
１０  端子カバー
１１  液晶表示部
１２，１３  第２の及び第３の操作釦群
１４  撮像素子
１５  （信号処理）基板
１５ａ  ＣＰＵ
１５ｂ  画像信号処理回路
１６  バッテリー収納部
１６ａ  開口部
１７  メディア収納部
１８  第２のスロット部
１８ａ  開口部
２０  カートリッジ（第２のメモリーカード）
２０ａ  段部
２０ｂ  （雌型）コネクタ部
２０ｃ  ＨＤＤ（ハードディスクドライブ装置）
２０ｄ  側面部
２０ｈ  記録媒体（ハードディスク）
２１Ａ，２１Ｂ  外装カバー
３５  第１のスロット部
３５ａ  挿入口（開口）
３６  蓋
３６ａ  主部
３６ｂ  屈曲部
３６ｃ  突部
３６ｄ  支持部
３７  シャフト
３８  第１のメモリーカード
５０ａ，５０ｂ，５０ｃ  （分割）線
６０  後端面
７０  対向面
７０Ａ  対向部
７１  稜線部
５００  撮像装置（ビデオカメラ）
５００Ａ  カメラ部
５００Ａｂ  底面
５００Ｂ  本体部（筐体部）
ＣＬ１，ＣＬ１ｄ，ＣＬ１ｕ  光軸
ＣＬ２（Ｐ）  回動軸
ＣＬ３  回動軸
Ｒ１，Ｒ２  半径（曲率）
θｄ，θｕ  角度
ｄ  隙間
【図１】
2006067274.tif 000003
【図２】
2006067274.tif 000004
【図３】
2006067274.tif 000005
【図４】
2006067274.tif 000006
【図５】
2006067274.tif 000007
【図６】
2006067274.tif 000008
【図７】
2006067274.tif 000009
【図８】
2006067274.tif 000010
【図９】
2006067274.tif 000011
【図１０】
2006067274.tif 000012
【図１１】
2006067274.tif 000013